(57)【要約】【課題】設置済みのスイッチに対して、電気工事等の有資格者による作業を行うことなくスイッチの割付を変更／拡張することが可能な拡張装置を提供する。【解決手段】拡張装置１０は、設置済みのスイッチパネル２０に被せられるとともに、表面にスイッチ２４が形成された拡張プレート１２を備える。また、拡張プレート１２に収容され、拡張プレート１２のスイッチ２４の押圧に応じて駆動信号を出力する送信器１６と、拡張プレート１２に収容され、送信器１６からの駆動信号を受信してスイッチパネル２０のスイッチ２２を押圧するアクチュエータ１８を備える。【選択図】図１
2015230826.tif 000002
【特許請求の範囲】
【請求項１】
設置済みのスイッチパネルに被せられるとともに、表面にスイッチが形成された拡張プレートと、
前記拡張プレートに収容され、前記拡張プレートのスイッチの押圧に応じて駆動信号を出力する送信器と、
前記拡張プレートに収容され、前記送信器からの駆動信号を受信して前記スイッチパネルのスイッチを押圧するアクチュエータと、
を備えることを特徴とする、設置済みスイッチ用拡張装置。
【請求項２】
請求項１に記載の、設置済みスイッチ用拡張装置であって、
前記拡張プレートのスイッチは、前記スイッチパネルのスイッチに対向するように形成されていることを特徴とする、設置済みスイッチ用拡張装置。
【請求項３】
請求項２に記載の、設置済みスイッチ用拡張装置であって、
前記拡張プレートに収容され、前記拡張プレートのスイッチの押圧に応じて移動させられて前記スイッチパネルのスイッチを押圧するピンを備えることを特徴とする、設置済みスイッチ用拡張装置。
【請求項４】
請求項２または３に記載の、設置済みスイッチ用拡張装置であって、
前記アクチュエータはソレノイドを備え、
前記ソレノイドのプランジャーは、前記拡張プレートのスイッチに位置合わせされ、前記駆動信号の受信によるコイルの励磁、及び、前記拡張プレートのスイッチへの押圧に応じて、移動させられて前記スイッチパネルのスイッチを押圧することを特徴とする、設置済みスイッチ用拡張装置。
【請求項５】
請求項１から４のいずれかに記載の、設置済みスイッチ用拡張装置であって、
前記拡張プレートには、前記スイッチパネルに被せられた際に当該スイッチパネルのスイッチから外れたところに形成されるとともに、前記送信器が取り付けられる拡張スイッチが形成されていることを特徴とする、設置済みスイッチ用拡張装置。
【請求項６】
請求項３から５のいずれかに記載の、設置済みスイッチ用拡張装置であって、
前記拡張プレートに収容された際に前記スイッチパネル及び拡張プレートのスイッチに位置合わせされるとともに前記ピン、送信器、及びアクチュエータのそれぞれを着脱可能なスロットが形成された、ガイドプレートを備えることを特徴とする、設置済みスイッチ用拡張装置。
【発明の詳細な説明】
【技術分野】
【０００１】
本発明は、壁等に設置済みのスイッチの拡張装置に関する。
【背景技術】
【０００２】
従来から、オフィス等では部署ごとに照明や空調等のスイッチが割り当てられる場合がある。図１０には、オフィスフロアがＡ〜Ｇの照明エリアに区切られるとともに、当該オフィスフロアにグループ１，２の２つの部署がそれぞれ島状に配置された例が示されている。グループ１の島に近いスイッチパネル１００Ａには、グループ１の島を照明する照明エリアＡ，Ｂ，Ｃのスイッチ１０２Ａ，１０２Ｂ，１０２Ｃが割り当てられる。また、グループ２の島に近いスイッチパネル１００Ｂには、グループ２の島を照明する照明エリアＥ，Ｆ，Ｇのスイッチ１０２Ｅ，１０２Ｆ，１０２Ｇが割り当てられる。
【０００３】
また、異動や組織変更等により、部署の規模や配置を変更する場合がある。例えば図１０の配置から、図１１に示すように、グループ１の島が照明エリアＡ，Ｅ内に配置変更され、グループ２の島が照明エリアＢ，Ｃ，Ｆ，Ｇに配置変更される。このような場合に、グループ１の島に近いスイッチパネル１００Ａに、照明エリアＡ，Ｅのスイッチ１０２Ａ，１０２Ｅを割り当て、また、グループ２の島に近いスイッチパネル１００Ｂに、照明エリアＢ，Ｃ，Ｆ，Ｇのスイッチ１０２Ｂ，１０２Ｃ，１０２Ｆ，１０２Ｇを割り当てるといった、スイッチの割付変更を行いたいとの要望がある。
【０００４】
そこで特許文献１，２では、光源と点灯装置の間に制御装置を設けるとともに、この制御装置に照明エリアの設定情報を送信することで、部署グループに応じたスイッチの割付の変更や拡張を行っている。また、特許文献３では、スイッチ盤に被せるカバープレートおよびスイッチプレートが開示されており、スイッチプレートを、照明エリアの広さに対応する面積に形成するとともに、照明エリアのＸ−Ｙ方向に対応する位置に設けている。また、特許文献４では、スイッチに受信機能を持たせるとともに、リモコンからの制御信号を受けて、当該スイッチに接続された照明の点灯／消灯を行っている。
【先行技術文献】
【特許文献】
【０００５】
【特許文献１】特開２００２−７５６６３号公報
【特許文献２】特開２００６−９３０９８号公報
【特許文献３】特開２００９−１２９７４４号公報
【特許文献４】特開２０１１−７０８５８号公報
【発明の概要】
【発明が解決しようとする課題】
【０００６】
ところで、既設の配線系統に制御装置が設けられていない場合、制御装置を設置するには有資格者による電気工事を行う必要がある。また、制御装置を設けずに部署の島に対応したスイッチの割付変更を行うには照明配線の配索を変更する必要があり、これもまた、有資格者による電気工事を行う必要がある。このように従来は、部署のスタッフなど無資格者のみにてスイッチの割付を変更／拡張することが困難な場合があった。
【課題を解決するための手段】
【０００７】
本発明は、設置済みスイッチ用拡張装置に関する。当該装置は、設置済みのスイッチパネルに被せられるとともに表面にスイッチが形成された拡張プレートと、前記拡張プレートに収容され前記拡張プレートのスイッチの押圧に応じて駆動信号を出力する送信器と、前記拡張プレートに収容され、前記送信器からの駆動信号を受信して前記スイッチパネルのスイッチを押圧するアクチュエータと、を備える。
【０００８】
また、上記発明において、前記拡張プレートのスイッチは、前記スイッチパネルのスイッチに対向するように形成されていることが好適である。
【０００９】
また、上記発明において、前記拡張プレートに収容され、前記拡張プレートのスイッチの押圧に応じて移動させられて前記スイッチパネルのスイッチを押圧するピンを備えることが好適である。
【００１０】
また、上記発明において、前記アクチュエータはソレノイドを備え、前記ソレノイドのプランジャーは、前記拡張プレートのスイッチに位置合わせされ、前記駆動信号の受信によるコイルの励磁、及び、前記拡張プレートのスイッチへの押圧に応じて、移動させられて前記スイッチパネルのスイッチを押圧することが好適である。
【００１１】
また、上記発明において、前記拡張プレートには、前記スイッチパネルに被せられた際に当該スイッチパネルのスイッチから外れたところに形成されるとともに、前記送信器が取り付けられる拡張スイッチが形成されていることが好適である。
【００１２】
また、上記発明において、前記拡張プレートに収容された際に前記スイッチパネル及び拡張プレートのスイッチに位置合わせされるとともに前記ピン、送信器、及びアクチュエータのそれぞれを着脱可能なスロットが形成された、ガイドプレートを備えることが好適である。
【発明の効果】
【００１３】
本発明に寄れば、部署のスタッフなど無資格者のみにてスイッチの割付を変更／拡張することが可能となる。
【図面の簡単な説明】
【００１４】
【図１】本実施形態に係る拡張装置を例示する図である。
【図２】アクチュエータのソレノイドを例示する図である。
【図３】拡張装置の組み立て工程を例示する図である。
【図４】本実施形態に係る拡張装置の別例を示す図である。
【図５】本実施形態に係る拡張装置を用いたスイッチの割り付けを示す図である。
【図６】本実施形態に係る拡張装置の別例を示す図である。
【図７】本実施形態に係る拡張装置の別例を示す図である。
【図８】本実施形態に係る拡張装置の別例を示す図である。
【図９】アクチュエータの駆動手段の別例を示す図である。
【図１０】スイッチの割り付けについて説明する図である。
【図１１】スイッチの割り付けについて説明する図である。
【発明を実施するための形態】
【００１５】
図１に、本実施形態に係る拡張装置１０を例示する。拡張装置１０は、拡張プレート１２、ガイドプレート１４、送信器１６、及びアクチュエータ１８を備える。
【００１６】
拡張装置１０は、オフィスの壁等に設置済みのスイッチパネル２０に取り付けられる。スイッチパネル２０のスイッチ２２は、照明や空調等の電気設備のオン／オフ操作を行う。スイッチ２２は押圧操作型のものであってよく、押しボタン式、タクタイル式、ピアノ操作式、リミットスイッチ式、フットスイッチ式、マットスイッチ式、パネルスイッチ式、キーボード式などのスイッチであってよい。また、スイッチ２２は、２連スイッチであってもシングルスイッチであってもよいが、拡張装置１０の構成を簡素にするために、シングルスイッチであることが好適である。
【００１７】
拡張プレート１２は、スイッチパネル２０に被せられる、蓋箱形状の部材である。拡張プレート１２の面のうち、スイッチパネル２０を覆う表面には、スイッチ２４が形成されている。スイッチ２４は、スイッチパネル２０のスイッチ２２と同型の押圧操作型のスイッチであることが好適である。また、スイッチ２４は、割り当てられた照明エリア等を示すネームプレートを備えていてもよい。
【００１８】
拡張プレート１２のスイッチ２４は、拡張プレート１２をスイッチパネル２０に被せたときに、スイッチパネル２０のスイッチ２２に対向するように形成されていることが好適である。このような位置合わせを容易に行うために、例えば、拡張プレート１２にはねじ穴２６が形成される。ねじ穴２６は、スイッチパネル２０を壁に固定するためのねじ穴２８と同径であってよい。拡張プレート１２のねじ穴２６とスイッチパネル２０のねじ穴２８を位置合わせして雄ねじを螺入することで、拡張プレート１２がスイッチパネル２０に対して固定される。この固定時にスイッチパネル２０のスイッチ２２に対向するように、拡張プレート１２のスイッチ２４を形成することが好適である。例えば、スイッチパネル２０のねじ穴２８とスイッチ２２の位置関係と、拡張プレート１２のねじ穴２６とスイッチ２４の位置関係を等しくすることが好適である。
【００１９】
送信器１６は、拡張プレート１２のスイッチ２４の押圧に応じて駆動信号を出力する。図１の実施形態では送信器１６は無線にて駆動信号を伝送するようにしているが、後述するように有線にて駆動信号を伝送するようにしてもよい。
【００２０】
送信器１６には押しボタン３０が設けられており、送信器１６が拡張プレート１２に収容される際に、この押しボタン３０が、拡張プレート１２のスイッチ２４の背面に位置合わせされる。スイッチ２４を押圧することで間接的に押しボタン３０が押され、これにより送信器１６から駆動信号が出力される。
【００２１】
送信器１６の電源として、電池等の直流電源を送信器１６の内部に備えるようにしてもよい。また、後述するように、ガイドプレート１４の端子から電力を受けるようにしてもよい。
【００２２】
アクチュエータ１８は、送信器１６からの駆動信号を受信してスイッチパネル２０のスイッチ２２を押圧する。アクチュエータ１８は、受信器３２及び図２に示すソレノイド３４を備える。アクチュエータ１８が拡張プレート１２に収容される際に、ソレノイド３４のプランジャー３６がスイッチパネル２０のスイッチ２２に対向するように位置合わせされる。受信器３２が送信器１６から駆動信号を受信するとソレノイド３４のプランジャー３６が駆動してスイッチパネル２０のスイッチ２２を押圧する。
【００２３】
アクチュエータ１８の電源として、電池等の電源を内部に備えてもよい。また、後述するように、ガイドプレート１４の端子から電力を受けるようにしてもよい。
【００２４】
図１に戻り、後述するガイドプレート１４のスロット３８への挿入を考慮して、アクチュエータ１８の幅、高さ、奥行きは送信器１６と略同一であることが好適である。
【００２５】
送信器１６とアクチュエータ１８はペアの構成を採っている。つまり、送信器１６が出力する駆動信号にはアクチュエータ１８を特定する識別子が付されており、特定の送信器１６からの駆動信号は特定のアクチュエータ１８のみを駆動させるようになっている。図１では、送信器１６Ａ及びアクチュエータ１８Ａ、１６Ｂ及び１８Ｂ、並びに１６Ｃ及び１８Ｃがそれぞれペアとなっている。
【００２６】
図１に示す例では、拡張装置１０を用いてスイッチの割付を変更する例が示されている。スイッチの割り付けは、下記表１のように設定される。
【００２７】
【表１】
2015230826.tif 000003
【００２８】
上記表１の割り付けを行うために、送信器１６Ａ〜１６Ｃ及びアクチュエータ１８Ａ〜１８Ｃを以下のように配置する。拡張プレート１２のスイッチ２４Ｅに送信器１６Ａを配置するとともに、スイッチパネル２０のスイッチ２２Ａにアクチュエータ１８Ａを配置する。拡張プレート１２のスイッチ２４Ｆに送信器１６Ｂを配置するとともに、スイッチパネル２０のスイッチ２２Ｃにアクチュエータ１８Ｂを配置する。同様にして、拡張プレート１２のスイッチ２４Ｄに送信器１６Ｃを配置するとともに、スイッチパネル２０のスイッチ２２Ｄにアクチュエータ１８Ｃを配置する。
【００２９】
ガイドプレート１４は、送信器１６及びアクチュエータ１８の位置合わせをサポートする板部材である。ガイドプレート１４にはスロット３８が形成されている。スロット３８は、拡張プレート１２に収容された際に、スイッチパネル２０及び拡張プレート１２のスイッチ２２、２４に位置合わせされるように形成されている。
【００３０】
スロット３８には、送信器１６、アクチュエータ１８、及び後述するピン４０が着脱（挿入及び抜き取りが）可能となっている。図３に示すように、スロット３８は、送信器１６の押しボタン３０が拡張プレート１２側に抜けるように、貫通孔３９が形成されている。スロット３８に送信器１６及びアクチュエータ１８を着座させることで、スイッチパネル２０のスイッチ２２及び拡張プレート１２のスイッチ２４と、送信器１６及びアクチュエータ１８との位置合わせを容易に行うことができる。
【００３１】
また、ガイドプレート１４は電池等の電源が設けられていてもよく、また、スイッチパネル２０近傍のコンセントに接続可能なプラグが設けられていてもよい。さらに、スロット３８には、送信器１６及びアクチュエータ１８に電力を送る電源端子が設けられていてもよい。
【００３２】
以上説明したように、本実施形態に係る拡張装置１０によれば、配線工事等、有資格者に限られる工事を行うことなく、スイッチパネル２０に拡張装置１０を取り付ける作業のみにて、スイッチの割り付け変更を行うことができる。
【００３３】
なお、図１に示す送信器１６Ｃとアクチュエータ１８Ｃのように、スイッチの割り付けによっては、スイッチパネル２０のスイッチ２２と、これに対応する拡張プレート１２のスイッチ２４が一直線上に並ぶような場合がある。このような場合、送信器１６及びアクチュエータ１８を用いた遠隔操作に代えて、ピンによるスイッチ操作を行うようにしてもよい。
【００３４】
図４の拡張装置１０では、スイッチパネル２０のスイッチ２２と拡張プレート１２のスイッチ２４とを繋ぐ器具として、送信器１６及びアクチュエータ１８の他に、ピン４０が設けられている。ピン４０は、拡張プレート１２に収容され、拡張プレート１２のスイッチ２４の押圧に応じて移動させられるとともに、スイッチパネル２０のスイッチ２２を押圧する。ピン４０は、ガイドプレート１４のスロット３８の貫通孔３９に挿入されることで位置決めされる。
【００３５】
また、図４では、プランジャー３６がピン４０の機能を兼ねるソレノイド３４’を備えるアクチュエータ１８’が示されている。このアクチュエータ１８’では、ソレノイド３４’のプランジャー３６が、拡張プレート１２のスイッチ２４に位置合わせされる。このようにすることで、駆動信号の受信によるソレノイドコイルの励磁に加えて、拡張プレート１２のスイッチ２４への押圧によっても、プランジャー３６が移動させられる。このようにして２種類の方法のどちらかによってプランジャー３６を移動させて、スイッチパネル２０のスイッチ２２を押圧する。このような構成を備えることで、２入力１出力のスイッチ系統を構築することが可能となる。
【００３６】
図５には、図４で示す拡張装置１０を用いて、２台のスイッチパネル２０Ａ、２０Ｂに亘るスイッチの割り付けを変更する例が示されている。なお、図５では、簡略化のため、ガイドプレート１４の図示を省略している。この例では、下記表２のようにスイッチの割り付けを行う。
【００３７】
【表２】
2015230826.tif 000004
【００３８】
入力側スイッチ２２と出力側スイッチ２４が直線状に配置された、スイッチ２４Ｃ→２２Ｃ、スイッチ２４Ｄ→２２Ｄ、スイッチ２４Ｉ→２２Ｉ、スイッチ２４Ｋ→２２Ｋ、及びスイッチ２４Ｌ→２２Ｌに対しては、各スイッチ２２、２４間にピン４０を配置する。
【００３９】
次に、入力側スイッチ２４と出力側スイッチ２２がずれた位置関係にある、スイッチ２４Ｅ→２２Ｊ、２４Ｈ→２２Ａに対しては、送信器１６及びアクチュエータ１８を配置する。具体的には、スイッチ２４Ｅの背面（紙面奥行き方向の面）に送信器１６Ａを配置するとともにスイッチ２２Ｊの前面（紙面手前側の面）にアクチュエータ１８Ａを配置する。同様にしてスイッチ２４Ｈの背面に送信器１６Ｂを配置するとともにスイッチ２２Ａの前面にアクチュエータ１８Ｂを配置する。
【００４０】
さらに、２入力１出力の形式をとり、一方の入力が出力と一直線上に並ぶ、スイッチ２４Ｆ＋２４Ｇ→２２Ｆについて、スイッチパネル２０Ａのスイッチ２２Ｆと拡張プレート１２Ａのスイッチ２４Ｆの間にアクチュエータ１８’を配置する。さらに拡張プレート１２Ｂのスイッチ２４Ｇの背面に送信器１６Ｃを設ける。
【００４１】
上記のように、各スイッチパネル２０Ａ、２０Ｂに拡張装置１０Ａ、１０Ｂをそれぞれ取り付けることで、複数のスイッチパネルに亘ってスイッチの割り付けを変更することができる。
【００４２】
また、上記の例ではスイッチパネル２０に拡張装置１０を取り付けていたが、この形態に限らない。例えばスイッチパネル２０が設置されていない壁等の任意の箇所に拡張装置１０を取り付けて、スイッチパネル２０の操作を行うようにしてもよい。
【００４３】
図６には、スイッチパネル２０Ａ、２０Ｂにそれぞれ取り付けられる拡張装置１０Ａ、１０Ｂに加えて、拡張装置１０Ｃが示されている。拡張装置１０Ｃは、壁に取り付けられてもよく、またオフィスの机上に取り付けるようにしてもよい。拡張装置１０Ｃの取り付け先にはスイッチパネル２０がないため、アクチュエータ１８及びピン４０は設けられず、拡張スイッチ４２には、専ら送信器１６のみが取り付けられる。
【００４４】
さらに、拡張装置１０Ｂの拡張プレート１２にも、スイッチ２４に加えて拡張スイッチ４２が設けられている。拡張スイッチ４２は、拡張プレート１２がスイッチパネル２０に被せられた際に、スイッチパネル２０のスイッチ２２から外れたところに形成される。拡張スイッチ４２の取り付け先にはスイッチパネル２０のスイッチ２２がないことから、拡張装置１０Ｃと同様にして、拡張スイッチ４２には、アクチュエータ１８及びピン４０は設けられず、専ら送信器１６が取り付けられる。
【００４５】
なお、上述した実施形態では、駆動信号を無線にて伝送していたが、この形態に限らない。図７には、有線にて駆動信号を伝送する例が示されている。この例では、ＬＡＮケーブル等のケーブルを用いて送信器１６とアクチュエータ１８、ひいてはスイッチパネル２０のスイッチ２２と拡張プレート１２のスイッチ２４とを接続する。送信器１６は拡張プレート１２のスイッチ２４の背面に固定されており、さらにその先にはＬＡＮケーブルを差し込むポート４４が設けられている。
【００４６】
また、図７の例では、ガイドプレート１４に、スイッチパネル２０のねじ穴２８及び拡張プレート１２のねじ穴２６と同径の位置合わせ用ねじ穴４５が形成されている。
【００４７】
ガイドプレート１４にはスロット３８の他にポート４４が設けられている。スロット３８の脇のポート４４にＬＡＮケーブルが挿入されると、当該スロット３８に着座された送信器１６またはアクチュエータ１８がこのＬＡＮケーブルを介して通信可能となる。上述した２入力１出力を可能とするために、ひとつのスロット当たり２つのポート４４が割り当てられていてもよい。
【００４８】
さらに、拡張プレート１２には、ＬＡＮケーブルの噛み込みを防ぐために、切り欠き４６または開口が設けられていてもよい。
【００４９】
図８には、ＬＡＮケーブル４７によって送信器１６及びアクチュエータ１８を接続したときの例が示されている。この図では、配線状態を説明するために、送信器１６及びアクチュエータ１８の図示を省略している。このようにして有線にてスイッチパネル２０のスイッチ２２と、拡張プレート１２のスイッチ２４及び拡張スイッチ４２とを接続することで、各スイッチ２２、２４、４２の対応関係が明確になり、作業を簡易に行うことができる。
【００５０】
なお、上述した実施形態では、ガイドプレート１４を介してＬＡＮケーブルの接続を行っていたが、この形態に限らない。例えば送信器１６やアクチュエータ１８に直接ポート４４を設けてもよい。
【００５１】
また、上述した実施形態では、駆動手段としてソレノイド３４を用いていたが、この形態に限らない。例えば２入力１出力の形態を採らず、１入力１出力の形態のみにてスイッチの割り付けを行うのであれば、図９に示すような回転式の駆動装置を用いてもよい。この駆動装置は、モータ４８及びカムディスク５０を備える。モータ４８は、受信器３２が駆動信号を受信した際に駆動される。カムディスク５０はモータ４８の駆動により回動させられる。カムディスク５０は周方向に沿って半径が異なるように形成されており、回動に応じて相対的な突起部がスイッチ２２に当接することでスイッチ２２のオン／オフ操作が行われる。
【符号の説明】
【００５２】
１０  拡張装置、１２  拡張プレート、１４  ガイドプレート、１６  送信器、１８  アクチュエータ、２０  スイッチパネル、２２  スイッチパネル側スイッチ、２４  拡張パネル側スイッチ、３２  受信器、３４  ソレノイド、３６  プランジャー、３８  スロット、４０  ピン、４２  拡張スイッチ、４４  ポート。
【図１】
2015230826.tif 000005
【図２】
2015230826.tif 000006
【図３】
2015230826.tif 000007
【図４】
2015230826.tif 000008
【図５】
2015230826.tif 000009
【図６】
2015230826.tif 000010
【図７】
2015230826.tif 000011
【図８】
2015230826.tif 000012
【図９】
2015230826.tif 000013
【図１０】
2015230826.tif 000014
【図１１】
2015230826.tif 000015